(57)【要約】【課題】蓄熱槽に蓄熱されている熱を有効に活用して、エネルギー効率の向上を図ることができながら、熱消費部での熱消費を適切に行うこと。【解決手段】運転制御手段５７は、熱消費部Ｄからの熱消費要求があると、供給状態切換手段１７を第１供給状態に切り換えて蓄熱槽１に蓄熱されている熱を有する熱媒体を熱媒体循環路２、５１、５２に通流させる熱媒体循環路予熱運転を行った後、熱消費部Ｄに供給する熱媒体の温度が目標温度以上になるように供給状態切換手段１７を第１供給状態と第２供給状態との何れかに切り換えて、熱媒体を熱媒体循環路２、５１、５２にて熱消費部Ｄに循環供給する熱消費運転を行うように構成されている。【選択図】図１
2011174683.tif 000002
【特許請求の範囲】
【請求項１】
蓄熱水を貯留する蓄熱槽と、熱供給装置の排熱により蓄熱槽に貯留されている蓄熱水を加熱する排熱式加熱手段と、熱媒体を熱消費部に循環供給する熱媒体循環路と、前記蓄熱槽に蓄熱されている熱を有する熱媒体を前記熱媒体循環路にて熱消費部に循環供給する第１供給状態と補助加熱装置から取得した熱を有する熱媒体を前記熱媒体循環路にて前記熱消費部に循環供給する第２供給状態とに切換自在な供給状態切換手段とを備え、
前記排熱式加熱手段を作動させて前記熱供給装置の排熱により前記蓄熱槽に貯留されている蓄熱水を加熱する蓄熱運転を実行可能な運転制御手段を備え、
前記運転制御手段は、前記熱消費部からの熱消費要求があると、前記供給状態切換手段を第１供給状態に切り換えて前記蓄熱槽に蓄熱されている熱を有する熱媒体を前記熱媒体循環路に通流させる熱媒体循環路予熱運転を行った後、前記熱消費部に供給する熱媒体の温度が目標温度以上になるように前記供給状態切換手段を前記第１供給状態と前記第２供給状態との何れかに切り換えて、前記熱媒体を前記熱媒体循環路にて前記熱消費部に循環供給する熱消費運転を行うように構成されている熱供給設備。
【請求項２】
前記熱媒体循環路予熱運転を行う熱媒体循環路予熱開始条件が、前記熱媒体循環路の熱媒体の温度が前記蓄熱槽に蓄熱されている熱を有する熱媒体の温度よりも低温となる条件に設定され、
前記運転制御手段は、前記熱媒体循環路予熱開始条件が満たされているか否かを判別し、前記熱媒体循環路予熱開始条件が満たされている場合には、前記熱消費部からの熱消費要求があると、前記熱媒体循環路予熱運転を行った後、前記熱消費運転を行い、前記熱媒体循環路予熱開始条件が満たされていない場合には、前記熱消費部からの熱消費要求があると、前記熱媒体循環路予熱運転を行わずに前記熱消費運転を行う請求項１に記載の熱供給設備。
【請求項３】
前記運転制御手段は、前記熱媒体循環路の熱媒体の温度が設定温度未満である場合に、前記熱媒体循環路予熱開始条件が満たされていると判別し、前記熱媒体循環路の熱媒体の温度が設定温度以上である場合に、前記熱媒体循環路予熱開始条件が満たされていないと判別し、前記設定温度が、前記目標温度を基準に定められている請求項２に記載の熱供給設備。
【請求項４】
前記運転制御手段は、前回の前記熱消費運転が終了してからの経過時間が設定時間以上である場合に、前記熱媒体循環路予熱開始条件が満たされていると判別し、前記経過時間が設定時間未満である場合に、前記熱媒体循環路予熱開始条件が満たされていないと判別する請求項２又は３に記載の熱供給設備。
【請求項５】
前記運転制御手段は、前記熱媒体循環路予熱運転を開始してから、前記蓄熱槽に蓄熱されている熱を有する熱媒体を前記熱媒体循環路の全体に亘って通流させるための予熱時間が経過すると、前記熱媒体循環路予熱運転を終了する請求項１〜４の何れか１項に記載の熱供給設備。
【発明の詳細な説明】
【技術分野】
【０００１】
本発明は、蓄熱水を貯留する蓄熱槽と、熱供給装置の排熱により蓄熱槽に貯留されている蓄熱水を加熱する排熱式加熱手段と、熱媒体を熱消費部に循環供給する熱媒体循環路とを備え、前記蓄熱槽に蓄熱されている熱を有する熱媒体を前記熱媒体循環路にて熱消費部に循環供給可能な熱供給設備に関する。
【背景技術】
【０００２】
上記のような熱供給設備では、排熱式加熱手段が、蓄熱槽から蓄熱水を取り出して蓄熱槽に戻す蓄熱水循環路と、熱供給装置の排熱を搬送する排熱搬送流体にて蓄熱水循環路を通流する蓄熱水を加熱する排熱熱交換器とを備えて構成されている。そして、熱供給設備には、この熱供給設備の運転を制御する運転制御手段が備えられており、運転制御手段は、蓄熱槽から取り出した蓄熱水を排熱熱交換器において排熱搬送流体にて加熱し、その加熱された蓄熱水を蓄熱槽に戻すことで、熱供給装置の排熱を蓄熱槽に蓄熱する蓄熱運転を行う。また、運転制御手段は、蓄熱槽に蓄熱された熱を有する熱媒体を暖房端末等の熱消費部に循環供給することで、暖房等の熱消費運転を行う。このように、熱消費運転では、蓄熱槽に蓄熱されている熱を有する熱媒体を熱消費部に循環供給して、熱供給装置の排熱を利用して熱消費部での熱消費を行い、エネルギー効率の向上を図っている（例えば、特許文献１参照。）。
【先行技術文献】
【特許文献】
【０００３】
【特許文献１】特開２００８−２４１１２６号公報
【発明の概要】
【発明が解決しようとする課題】
【０００４】
上述の熱供給設備では、蓄熱槽に蓄熱されている熱を有する熱媒体を熱消費部に循環供給することで、蓄熱槽に蓄熱されている熱を用いて熱消費部での熱消費を賄うが、蓄熱槽に十分な熱が蓄熱されておらず、蓄熱槽の蓄熱量だけでは熱消費部にて要求されている熱量を賄うことができない場合がある。そこで、上記特許文献１に記載の設備では、補助加熱装置が備えられており、蓄熱槽に蓄熱されている熱を有する熱媒体を熱消費部に循環供給するだけでなく、補助加熱装置から取得した熱を有する熱媒体をも熱消費部に循環供給できるようになっている。
【０００５】
つまり、熱媒体循環路の流路途中に補助加熱装置が備えられたバイパス路が設けられ、蓄熱槽から取り出した蓄熱水をバイパス路に通流させるか否かを切り換える切換弁が備えられている。そして、この切換弁を切り換えることで、蓄熱槽に蓄熱されている熱を有する熱媒体を熱媒体循環路にて熱消費部に循環供給する第１供給状態と、補助加熱装置から取得した熱を有する熱媒体を熱媒体循環路にて同じ熱消費部に循環供給する第２供給状態とに切換自在に構成されている。
切換弁を第１供給状態に切り換えると、蓄熱槽から取り出した蓄熱水を暖房端末等の熱消費部に供給し、熱消費部を通流した蓄熱水を蓄熱槽に戻して、熱媒体循環路にて蓄熱槽から取り出した蓄熱水をそのまま熱消費部に循環供給する。また、切換弁を第２供給状態に切り換えると、蓄熱槽から取り出した蓄熱水をバイパス路にて補助加熱装置に供給して加熱し、その加熱された蓄熱水を熱消費部に循環供給する。
【０００６】
切換弁の第１供給状態と第２供給状態との切換については、熱消費部にて要求されている熱量を賄うために、熱消費部に供給する蓄熱水の温度が熱消費部にて要求されている目標温度（例えば、６０℃）以上になるように、第１供給状態と第２供給状態とに切り換える。つまり、熱消費部に供給する蓄熱水の温度を検出する温度検出手段を備えており、その温度検出手段の検出温度が熱消費部にて要求されている目標温度（例えば、６０℃）以上であると、切換弁を第１供給状態に切り換え、温度検出手段の検出温度が目標温度未満であると、切換弁を第２供給状態に切り換える。
【０００７】
しかしながら、上記特許文献１に記載の設備では、熱消費部に供給する蓄熱水の温度が目標温度（例えば、６０℃）未満になると、切換弁を第２供給状態に切り換えて、補助加熱装置から取得した熱を熱消費部に供給することになるので、蓄熱槽に蓄熱されている熱を活用できなくなり、蓄熱槽に蓄熱されている熱を有効に活用できていなかった。つまり、熱消費部に供給する蓄熱水の温度が目標温度未満になっても、蓄熱槽には、目標温度よりも低いものの、ある程度高温の蓄熱水が貯留されており、その蓄熱水が有する熱が残存することになる。よって、蓄熱槽に蓄熱されている熱を有効に活用することができず、エネルギー効率の向上を図るのに限界があった。
【０００８】
本発明は、かかる点に着目してなされたものであり、その目的は、蓄熱槽に蓄熱されている熱を有効に活用して、エネルギー効率の向上を図ることができながら、熱消費部での熱消費を適切に行うことができる熱供給設備を提供する点にある。
【課題を解決するための手段】
【０００９】
この目的を達成するために、本発明に係る熱供給設備の特徴構成は、蓄熱水を貯留する蓄熱槽と、熱供給装置の排熱により蓄熱槽に貯留されている蓄熱水を加熱する排熱式加熱手段と、熱媒体を熱消費部に循環供給する熱媒体循環路と、前記蓄熱槽に蓄熱されている熱を有する熱媒体を前記熱媒体循環路にて熱消費部に循環供給する第１供給状態と補助加熱装置から取得した熱を有する熱媒体を前記熱媒体循環路にて前記熱消費部に循環供給する第２供給状態とに切換自在な供給状態切換手段とを備え、前記排熱式加熱手段を作動させて前記熱供給装置の排熱により前記蓄熱槽に貯留されている蓄熱水を加熱する蓄熱運転を実行可能な運転制御手段を備え、前記運転制御手段は、前記熱消費部からの熱消費要求があると、前記供給状態切換手段を第１供給状態に切り換えて前記蓄熱槽に蓄熱されている熱を有する熱媒体を前記熱媒体循環路に通流させる熱媒体循環路予熱運転を行った後、前記熱消費部に供給する熱媒体の温度が目標温度以上になるように前記供給状態切換手段を前記第１供給状態と前記第２供給状態との何れかに切り換えて、前記熱媒体を前記熱媒体循環路にて前記熱消費部に循環供給する熱消費運転を行うように構成されている点にある。
【００１０】
本特徴構成によれば、熱消費部からの熱消費要求があると、運転制御手段が、熱消費運転を行う前に熱媒体循環路予熱運転を行う。これにより、例えば、冬季等、熱媒体循環路の熱媒体の温度が低下して熱媒体循環路等の配管も低温となっている場合には、熱消費運転を行う前に、蓄熱槽に蓄熱されている熱を有する熱媒体を熱媒体循環路に通流させて、熱媒体循環路自体やその熱媒体循環路に滞留している熱媒体を加熱して熱媒体循環路の予熱を行うことができる。この熱媒体循環路の予熱については、概略、蓄熱槽内の熱媒体温度までの予熱を行うことができる。そして、熱媒体循環路予熱運転では、蓄熱槽に蓄熱されている熱を有する熱媒体が、目標温度よりも低温であっても、熱媒体循環路の熱媒体よりも高温であると、熱媒体循環路の予熱を行うことができるので、蓄熱槽に蓄熱されている目標温度よりも低温の熱を用いて熱媒体循環路の予熱を行うことができる。したがって、熱消費運転を行うだけでは活用できずに蓄熱槽に残存することになる熱を、熱消費運転を行う前に熱媒体循環路予熱運転を行うことで、熱媒体循環路の予熱に活用することができる。しかも、熱媒体循環路の予熱を行った状態で熱消費運転を行うので、熱消費運転の初期における熱媒体循環路での放熱を抑えて、熱消費部に循環供給する熱媒体の温度低下を抑制することができ、熱消費運転の初期から目標温度以上の熱媒体を熱消費部に供給でき易くなる。
【００１１】
以上のことから、蓄熱槽に蓄熱されている熱を有効に活用して、エネルギー効率の向上を図ることができながら、熱消費部での熱消費を行うことができ、しかも、熱消費運転の初期から目標温度以上の熱媒体を熱消費部に供給でき、熱消費部での熱消費をも適切に行うことができる熱供給設備を実現できるに至った。
【００１２】
本発明に係る熱供給設備の更なる特徴構成は、前記熱媒体循環路予熱運転を行う熱媒体循環路予熱開始条件が、前記熱媒体循環路の熱媒体の温度が前記蓄熱槽に蓄熱されている熱を有する熱媒体の温度よりも低温となる条件に設定され、前記運転制御手段は、前記熱媒体循環路予熱開始条件が満たされているか否かを判別し、前記熱媒体循環路予熱開始条件が満たされている場合には、前記熱消費部からの熱消費要求があると、前記熱媒体循環路予熱運転を行った後、前記熱消費運転を行い、前記熱媒体循環路予熱開始条件が満たされていない場合には、前記熱消費部からの熱消費要求があると、前記熱媒体循環路予熱運転を行わずに前記熱消費運転を行う点にある。
【００１３】
本特徴構成によれば、運転制御手段は、熱消費運転を行うときに、常時、熱媒体循環路予熱運転を行った後、熱消費運転を行うのではなく、熱媒体循環路予熱開始条件が満たされているか否かを判別し、熱媒体循環路予熱開始条件が満たされている場合のみ、熱媒体循環路予熱運転を行った後、熱消費運転を行う。そして、熱媒体循環路予熱開始条件が、熱媒体循環路の熱媒体の温度が蓄熱槽に蓄熱されている熱を有する熱媒体の温度よりも低温となる条件に設定されているので、熱媒体循環路の熱媒体の温度と蓄熱槽に蓄熱されている熱を有する熱媒体の温度との大小関係により、蓄熱槽に蓄熱されている熱を有する熱媒体にて熱媒体循環路を予熱できるときだけ、熱媒体循環路予熱運転を行うことができる。これにより、例えば、熱媒体循環路の熱媒体の温度が低温に低下して熱媒体循環路等の配管も低温となっているとき等の最適なタイミングにて熱媒体循環路予熱運転を行うことができ、無駄に熱媒体循環路予熱運転を行うことを防止できる。
【００１４】
本発明に係る熱供給設備の更なる特徴構成は、前記運転制御手段は、前記熱媒体循環路の熱媒体の温度が設定温度未満である場合に、前記熱媒体循環路予熱開始条件が満たされていると判別し、前記熱媒体循環路の熱媒体の温度が設定温度以上である場合に、前記熱媒体循環路予熱開始条件が満たされていないと判別し、前記設定温度が、前記目標温度を基準に定められている点にある。
【００１５】
本特徴構成によれば、運転制御手段が、熱媒体循環路の熱媒体の温度と設定温度とを比較するだけで、熱媒体循環路予熱開始条件が満たされているか否かを判別することができ、制御構成の簡素化を図ることができる。そして、熱消費運転において第１供給状態と第２供給状態とに切り換えるための目標温度を基準として設定温度が定められているので、例えば、設定温度を目標温度よりも低い温度に設定しておくことができる。このように設定温度を設定すると、熱媒体循環路の熱媒体の温度が目標温度よりも低い温度であれば、熱媒体循環路予熱運転を行うことができ、熱消費運転において供給状態切換手段を第２供給状態に切り換えることで、蓄熱槽に残存することなる熱を熱媒体循環路の予熱に確実に用いることができる。
【００１６】
本発明に係る熱供給設備の更なる特徴構成は、前記運転制御手段は、前回の前記熱消費運転が終了してからの経過時間が設定時間以上である場合に、前記熱媒体循環路予熱開始条件が満たされていると判別し、前記経過時間が設定時間未満である場合に、前記熱媒体循環路予熱開始条件が満たされていないと判別する点にある。
【００１７】
本特徴構成によれば、運転制御手段が、前回の熱消費運転が終了してからの経過時間が設定時間以上であるか否かを判別するだけで、熱媒体循環路予熱開始条件が満たされているか否かを判別することができ、制御構成の簡素化を図ることができる。そして、前回の熱消費運転が終了してからの経過時間が長くなるほど、熱媒体循環路の熱媒体の温度が低温に低下して熱媒体循環路等の配管も低温となる傾向があるので、前回の熱消費運転が終了してからの経過時間が設定時間以上であるか否かを判別することで、熱媒体循環路の熱媒体の温度が低温に低下して熱媒体循環路等の配管も低温となっているとき等の最適なタイミングにて熱媒体循環路予熱運転を行うことができる。
【００１８】
本発明に係る熱供給設備の更なる特徴構成は、前記運転制御手段は、前記熱媒体循環路予熱運転を開始してから、前記蓄熱槽に蓄熱されている熱を有する熱媒体を前記熱媒体循環路の全体に亘って通流させるための予熱時間が経過すると、前記熱媒体循環路予熱運転を終了する点にある。
【００１９】
例えば、蓄熱槽に蓄熱されている熱を有する熱媒体を熱媒体循環路の全体に亘って通流させるための予熱時間を実験等により予め設定しておくことができる。本特徴構成によれば、運転制御手段は、熱媒体循環路予熱運転を開始してから予熱時間が経過すると、熱媒体循環路予熱運転を終了するので、熱媒体循環路予熱運転の運転時間として、熱媒体循環路を予熱だけの運転時間を確保しながら、熱媒体循環路予熱運転の運転時間を極力短くすることができる。これにより、蓄熱槽に蓄熱されている熱を有効に活用することができながら、熱消費部からの熱消費要求があってから、熱消費運転を行うまでの時間を極力短くできる。
【図面の簡単な説明】
【００２０】
【図１】第１実施形態における熱供給設備の概略構成図において蓄熱運転を示す図
【図２】第１実施形態における熱供給設備の概略構成図において暖房運転を示す図
【図３】第１実施形態における熱供給設備の概略構成図において暖房運転を示す図
【図４】第２実施形態における熱供給設備の概略構成図において蓄熱運転を示す図
【図５】第２実施形態における熱供給設備の概略構成図において暖房運転を示す図
【図６】第２実施形態における熱供給設備の概略構成図において暖房運転を示す図
【発明を実施するための形態】
【００２１】
本発明に係る熱供給設備の実施形態を図面に基づいて説明する。
〔第１実施形態〕
この熱供給設備は、図１〜図３に示すように、蓄熱水Ａ１としての水を貯留する蓄熱槽１と、その蓄熱槽１から取り出した蓄熱水Ａ１を循環路２にて循環させて蓄熱槽１に戻す蓄熱水循環手段３とを設けている。循環路２には、熱供給装置４の排熱を搬送する排熱搬送流体としての熱源水Ａ２にて循環路２を通流する蓄熱水Ａ１を加熱する排熱熱交換器５、及び、その排熱熱交換器５を通過した後の蓄熱水Ａ１を放熱させる放熱用熱交換器６を設けている。
図１〜図３では、流体の通流状態を太線にて示している。図１〜図３は、流体が通流する部分が異なるだけでその他の構成については同様の構成を示している。
【００２２】
熱供給装置４は、例えば、都市ガスを燃料とするガスエンジンや燃料電池を備えた熱電併給装置であり、排熱搬送流体としての熱源水Ａ２によりガスエンジンや燃料電池での排熱を回収するように構成している。排熱熱交換器５と熱供給装置４との間で熱源水Ａ２を循環する熱源水循環路７を設け、この熱源水循環路７に熱源水膨張タンク８及び熱源水循環ポンプ９を設けている。
熱源水循環路７には、熱供給装置４から排熱熱交換器５に供給する熱源水Ａ２の流量を検出する熱源水流量センサ１１、熱供給装置４から排熱熱交換器５に供給する熱源水Ａ２の温度を検出する熱源水往き温度センサ１０、及び、排熱熱交換器５から熱供給装置４に戻す熱源水Ａ２の温度を検出する熱源水戻り温度センサ１２を設けている。
【００２３】
蓄熱槽１は、貯留している蓄熱水Ａ１の上面よりも高い位置に大気に通じる開口を有して上部を大気開放した、平面視で矩形状に形成されている。蓄熱槽１及び熱源水膨張タンク８に蓄熱水Ａ１及び熱源水Ａ２としての水を補給するために、補給路１３及び補給弁１４ａ，１４ｂを設けている。蓄熱槽１及び熱源水膨張タンク８には、下限水位及び上限水位を検出する一対の水位センサ１５ａ，１５ｂを設けている。蓄熱槽１及び熱源水膨張タンク８では、水位センサ１５ａ，１５ｂにて水位が下限水位未満になったことを検出すると、補給弁１４ａ，１４ｂを開弁して補給路１３にて水を補給し、水位センサ１５ａ，１５ｂにて水位が上限水位になったことを検出すると、補給弁１４ａ，１４ｂを閉弁して補給路１３による水の補給を停止する。このようにして、蓄熱槽１及び熱源水膨張タンク８では、蓄熱水Ａ１及び熱源水Ａ２の水位を下限水位と上限水位との間に維持するようにしている。
【００２４】
循環路２は、蓄熱槽１の上部及び下部に接続してあり、蓄熱水循環手段３は、蓄熱槽１の上部から蓄熱水Ａ１を取り出して蓄熱槽１の下部に蓄熱水Ａ１を戻すように構成している。蓄熱槽１から循環路２に取り出した蓄熱水Ａ１を、排熱熱交換器５をバイパスさせて放熱用熱交換器６に供給する排熱熱交換器バイパス路１６を設けている。この排熱熱交換器バイパス路１６には、排熱熱交換器バイパス路１６に蓄熱水Ａ１を供給するか否か及びその流量を調整可能なバイパス路調整弁１７を設けている。
【００２５】
排熱熱交換器バイパス路１６には、バイパス路調整弁１７に加えて、通流する蓄熱水Ａ１を加熱する補助加熱装置１９、補助加熱装置１９を通過した蓄熱水Ａ１の温度を検出する補助加熱温度センサ２０を設けている。補助加熱装置１９は、燃料ガス供給路２２にてガスバーナ２１に都市ガス等の燃料ガスを供給してガスバーナ２１を燃焼させ、蓄熱水Ａ１を加熱するように構成している。
【００２６】
循環路２において蓄熱槽１の下部に蓄熱水Ａ１を戻す戻し部位２ａと蓄熱槽１の上部から蓄熱水Ａ１を取り出す取り出し部位２ｂとを接続する蓄熱槽バイパス路２３を設けている。循環路２において蓄熱槽バイパス路２３の分岐箇所には、蓄熱槽１の下部に戻す蓄熱水Ａ１の温度を検出する蓄熱槽戻し温度センサ２４を設けている。蓄熱槽バイパス路２３には、通流する蓄熱水Ａ１の流量を検出するバイパス流量センサ２５を設けている。
【００２７】
循環路２には、蓄熱水Ａ１の通流方向の上流側から、蓄熱槽１から取り出す蓄熱水Ａ１の温度を検出する第１蓄熱水温度センサ２６、循環路２の蓄熱水Ａ１と蓄熱槽バイパス路２３の蓄熱水Ａ１との混合比率を調整自在な混合調整弁２７、蓄熱水循環手段３としての蓄熱水循環ポンプ１８、通流する蓄熱水Ａ１の温度を検出する第２蓄熱水温度センサ２８、排熱熱交換器５に通流する蓄熱水Ａ１の流量を調整自在な第１蓄熱水流量調整弁２９、排熱熱交換器５、通流する蓄熱水Ａ１の温度を検出する第３蓄熱水温度センサ３０、放熱用熱交換器６としての給湯用熱交換器３１、給湯用熱交換器３１を通過する蓄熱水Ａ１の流量を調整する第２蓄熱水流量調整弁３２、蓄熱水戻し温度センサ２４、蓄熱槽１の下部に戻す蓄熱水Ａ１の流量を検出する蓄熱水戻し流量センサ５３を設けている。
【００２８】
給湯用熱交換器３１は、給水路３３から供給されて給湯路３４に供給する給湯用の給水Ａ３を蓄熱水Ａ１の放熱対象とするように構成している。給水路３３には、給湯用熱交換器３１に供給する給水温度を検出する給水温度センサ３５を設けている。給湯路３４には、給湯用の給水Ａ３の通流方向において上流側から、給湯用熱交換器３１を通過した後の給湯用の給水Ａ３の温度を検出する出口温度センサ３６、給湯路３４にて給湯する給湯量を検出する給湯量センサ３７、給湯路３４にて給湯する給湯温度を検出する給湯温度センサ３８、給湯路３４による給湯を行うか否かを調整する給湯調整弁３９を設けている。
給水路３３からの給湯用の給水Ａ３を、給湯用熱交換器３１をバイパスして給湯路３４に供給する給湯用バイパス路４０を設けている。給湯路３４において給湯用バイパス路４０の合流箇所には、給湯用熱交換器３１を通過した給湯用の給水Ａ３と給湯用バイパス路４０の給湯用の給水Ａ３との混合比率を調整自在な給湯混合調整弁４１を設けている。
【００２９】
放熱用熱交換器６として、給湯用熱交換器３１に加えて、風呂の浴槽Ｙとの間で循環される浴槽水Ａ４を蓄熱水Ａ１の放熱対象とする風呂用熱交換器４２を設けている。風呂用熱交換器４２は、循環路２から分岐した分岐流路部位２ｃに配置してあり、循環路２において給湯用熱交換器３１と並列状態で設けている。分岐流路部位２ｃには、風呂用熱交換器４２に蓄熱水Ａ１を供給するか否かを調整する蓄熱水調整弁４４を設けている。風呂用熱交換器４２は、詳細な図示は省略するが、浴槽水Ａ４を循環する浴槽水循環路４３と蓄熱水Ａ１を通流する循環路２の分岐流路部位２ｃとの一方を内側とし且つ他方を外側とする二重管式の熱交換器にて構成している。浴槽水循環路４３は、浴槽Ｙと接続してあり、浴槽水循環ポンプ４５、浴槽水Ａ４の温度を検出する浴槽水温度センサ４６が設けられている。
給湯路３４には、浴槽Ｙに温水を供給する湯張り路４７を分岐接続している。湯張り路４７は、浴槽水循環路４３に接続してあり、浴槽水循環路４３を用いて浴槽Ｙに温水を供給する。湯張り路４７には、浴槽Ｙに供給する温水の流量を検出する湯張り流量センサ４８、浴槽Ｙへの温水の供給を断続する湯張り弁４９、風呂逆止弁５０を設けている。
【００３０】
循環路２には、第３蓄熱水温度センサ３０の配設箇所から分岐して暖房用放熱器Ｄに蓄熱水Ａ１を供給する放熱用往き路５１を分岐接続してあり、暖房用放熱器Ｄに供給した蓄熱水Ａ１を給湯用熱交換器３１及び風呂用熱交換器４２よりも下流側に戻す放熱用戻り路５２を合流接続している。暖房用放熱器Ｄは、放熱用熱交換器６に相当し、例えば、放熱用往き路５１にて供給される蓄熱水Ａ１を放熱する床暖房パネルである。また、暖房用放熱器Ｄは、床暖房パネル以外に、浴室暖房装置等を適応することもできる。放熱用戻り路５２には、通流する蓄熱水Ａ１の流量を検出する放熱戻り流量センサ５４、放熱逆止弁５５、通流する蓄熱水Ａ１の温度を検出する放熱戻り温度センサ５６を設けている。
【００３１】
この熱供給設備の運転を制御する運転制御部５７（運転制御手段に相当する）は、熱供給装置４の排熱により蓄熱槽１に貯留されている蓄熱水Ａ１を加熱する蓄熱運転と、蓄熱槽１に貯留されている蓄熱水Ａ１を放熱用熱交換器６に循環供給する熱供給運転とを実行可能に構成されている。そして、運転制御部５７は、熱供給運転として、蓄熱槽１に貯留されている蓄熱水Ａ１を給湯用熱交換器３１に循環供給して給湯を行う給湯運転と、蓄熱槽１に貯留されている蓄熱水Ａ１を風呂用熱交換器４２に循環供給して浴槽水Ａ４の追焚を行う追焚運転と、蓄熱槽１に貯留されている蓄熱水Ａ１を暖房用放熱器Ｄに循環供給して暖房を行う暖房運転とを実行可能に構成されている。
【００３２】
本発明に係る熱供給設備では、運転制御部５７が、蓄熱運転を行うことで熱供給装置４の排熱を蓄熱槽１に蓄熱し、熱消費運転としての暖房運転を行うことで蓄熱槽１に蓄熱されている熱を有する蓄熱水Ａ１を暖房用放熱器Ｄに循環供給して暖房用放熱器Ｄでの熱消費を行う。
そこで、以下、蓄熱運転及び熱消費運転としての暖房運転について説明する。それ以外の給湯運転や追焚運転については、蓄熱水Ａ１の通流形態等が異なるだけであるので、その詳細な説明は省略する。
【００３３】
（蓄熱運転）
運転制御部５７は、例えば、時系列的な電力負荷及び時系列的な熱負荷を管理し、その時系列的な電力負荷及び時系列的な熱負荷に基づいて蓄熱運転を行うように構成されている。つまり、運転制御部５７は、現在要求されている電力負荷を賄うように熱電併給装置である熱供給装置４を作動させる電主運転や、現在要求されている熱負荷を賄うように熱電併給装置である熱供給装置４を作動させる熱主運転を行うことで蓄熱運転を行っている。
【００３４】
ここで、運転制御部５７は、例えば、実際に使用された１日の各時間帯（１時間ごと）の電力負荷及び熱負荷に基づいて、既に記憶している１日の各時間帯（１時間ごと）の電力負荷及び熱負荷を更新して、１日の各時間帯（１時間ごと）の電力負荷及び熱負荷に区分けした状態で時系列的な電力負荷及び熱負荷を管理することができる。電力負荷については、例えば、運転制御部５７が、熱供給装置４としての熱電併給装置の電力を出力するインバータの出力値、及び、テレビ、冷蔵庫、洗濯機等の電力負荷に接続された商業用電力供給ラインに設けられた電力計測手段の計測情報に基づいて、実際に使用された電力負荷を求めることができる。熱負荷については、給湯路３４からの給湯として用いられる給湯熱負荷と、浴槽水Ａ４の追焚に用いられる追焚熱負荷と、暖房用放熱器Ｄにて用いられる暖房熱負荷とを足し合わせて求めることができる。
【００３５】
運転制御部５７は、図１の太線にて示すように、熱供給装置４を作動させ且つ熱源水循環ポンプ９を作動させて、排熱熱交換器５に熱源水Ａ２を供給するとともに、バイパス路調整弁１７を閉弁状態とし且つ第１蓄熱水流量調整弁２９及び第２蓄熱水流量調整弁３２を開弁させて、蓄熱水循環ポンプ１８を作動させ、蓄熱槽１の上部から取り出した蓄熱水Ａ１を排熱熱交換器５に供給するように構成している。これにより、熱供給装置４の排熱を有する熱源水Ａ２と蓄熱槽１に貯留されている蓄熱水Ａ１とを排熱熱交換器５に供給し、排熱熱交換器５において熱源水Ａ２にて蓄熱水Ａ１を加熱し、その加熱された蓄熱水Ａ１を蓄熱槽１に戻して、熱供給装置４の排熱を蓄熱槽１に蓄熱している。このように、排熱式加熱手段が、循環路２、蓄熱水循環ポンプ１８、及び、排熱熱交換器５にて構成されている。
【００３６】
そして、運転制御部５７は、熱源水戻り温度センサ１２の検出温度が所定温度範囲（例えば７０℃±設定温度）内となるように、第１蓄熱水流量調整弁２９の開度及び蓄熱水循環ポンプ１８の回転速度を調整して排熱熱交換器５に供給する蓄熱水Ａ１の流量を調整している。
【００３７】
（暖房運転（熱消費運転））
上述の如く、暖房運転が、本発明に係る熱供給設備の熱消費運転に相当するのであるが、この暖房運転では、蓄熱槽１に貯留されている蓄熱水Ａ１を、蓄熱槽１に蓄熱されている熱を有する熱媒体として、熱消費部である暖房用放熱器Ｄに循環供給している。そして、暖房用放熱器Ｄに蓄熱水Ａ１を循環供給する熱媒体循環路が、循環路２、排熱熱交換器バイパス路１６、放熱用往き路５１及び放熱用戻り路５２により構成されている。
【００３８】
本発明に係る熱供給設備では、蓄熱槽１に蓄熱されている熱を有する蓄熱水Ａ１を暖房用放熱器Ｄに循環供給する第１供給状態と補助加熱装置１９から取得した熱を有する蓄熱水Ａ１を暖房用放熱器Ｄに循環供給する第２供給状態とに切換自在な供給状態切換手段を備えているが、この供給状態切換手段として、バイパス路調整弁１７が設けられている。つまり、図２の太線にて示すように、バイパス路調整弁１７を閉弁状態とすることで第１供給状態に切り換えており、蓄熱槽１の蓄熱水Ａ１を、循環路２、放熱用往き路５１及び放熱用戻り路５２にて暖房用放熱器Ｄに循環供給する。また、図３の太線にて示すように、バイパス路調整弁１７を開弁状態とすることで第２供給状態に切り換えており、蓄熱槽１の蓄熱水Ａ１を補助加熱装置１９に供給して加熱し、補助加熱装置１９にて加熱された蓄熱水Ａ１を、循環路２、排熱熱交換器バイパス路１６、放熱用往き路５１及び放熱用戻り路５２にて暖房用放熱器Ｄに循環供給する。
【００３９】
このように暖房運転では、蓄熱槽１に貯留されている蓄熱水Ａ１を暖房用放熱器Ｄに循環供給するわけであるが、この蓄熱槽１から取り出した蓄熱水Ａ１の温度が目標温度（例えば６０℃）以上であるか否かにより、暖房用放熱器Ｄに循環供給する蓄熱水Ａ１の通流形態を第１供給状態（図２の太線参照）と第２供給状態（図３の太線参照）とに切り換えて、暖房用放熱器Ｄに供給する蓄熱水Ａ１の温度を目標温度（例えば６０℃）以上になるようにしている。つまり、運転制御部５７は、第３蓄熱水温度センサ３０の検出温度が目標温度（例えば６０℃）以上である場合には、第１供給状態に切り換え、第３蓄熱水温度センサ３０の検出温度が目標温度（例えば６０℃）未満である場合には、第２供給状態に切り換えている。
【００４０】
供給状態切換手段を第１供給状態に切り換えた暖房運転では、図２の太線にて示すように、運転制御部５７が、バイパス路調整弁１７、第２蓄熱水流量調整弁３２及び蓄熱水調整弁４４を閉弁状態とし、且つ、第１蓄熱水流量調整弁２９を開弁状態として、蓄熱水循環ポンプ１８を作動させ、蓄熱槽１の上部から取り出した蓄熱水Ａ１をそのまま暖房用放熱器Ｄに供給し、暖房用放熱器Ｄを通流した後の蓄熱水Ａ１を蓄熱槽１に戻している。
ここで、図２に示すものでは、熱供給装置４が作動停止している状態を示しているが、熱供給装置４が作動している場合もある。熱供給装置４が作動している場合には、蓄熱槽１の上部から取り出した蓄熱水Ａ１が排熱熱交換器５を通流した後、暖房用放熱器Ｄに供給されるので、蓄熱槽１の上部から取り出した蓄熱水Ａ１を排熱熱交換器５において熱源水Ａ２にて加熱し、その加熱した蓄熱水Ａ１を暖房用放熱器Ｄに循環供給することができる。そして、この場合には、運転制御部５７が、第１蓄熱水流量調整弁２９の開度及び蓄熱水循環ポンプ１８の回転速度を調整して暖房用放熱器Ｄに供給する蓄熱水Ａ１の温度（第３蓄熱水温度センサ３０の検出温度）を目標温度に調整している。
【００４１】
供給状態切換手段を第２供給状態に切り換えた暖房運転では、図３の太線にて示すように、運転制御部５７が、第２蓄熱水流量調整弁３２及び蓄熱水調整弁４４を閉弁状態とし、且つ、バイパス路調整弁１７及び第１蓄熱水流量調整弁２９を開弁状態として、蓄熱水循環ポンプ１８を作動させ、蓄熱槽１の上部から取り出した蓄熱水Ａ１の少なくとも一部を補助加熱装置１９に供給し、補助加熱装置１９にて加熱された蓄熱水Ａ１を蓄熱槽１の上部から取り出した蓄熱水Ａ１に混合させ、その混合後の蓄熱水Ａ１を暖房用放熱器Ｄに供給し、暖房用放熱器Ｄを通流した後の蓄熱水Ａ１を蓄熱槽１に戻している。そして、運転制御部５７は、暖房用放熱器Ｄに供給する蓄熱水Ａ１の温度（第３蓄熱水温度センサ３０の検出温度）が目標温度以上になるように、第１蓄熱水流量調整弁２９の開度及び補助加熱装置１９の加熱量を調整している。つまり、暖房用放熱器Ｄに供給する蓄熱水Ａ１の温度（第３蓄熱水温度センサ３０の検出温度）が目標温度よりも低いと、第１蓄熱水流量調整弁２９の開度を閉じ側に調整することで、蓄熱槽１の上部から取り出した蓄熱水Ａ１のうち、補助加熱装置１９に供給する蓄熱水Ａ１の流量を増加させるとともに、暖房用放熱器Ｄに供給する蓄熱水Ａ１の温度（第３蓄熱水温度センサ３０の検出温度）が目標温度になるように補助加熱装置１９の加熱量を調整している。
【００４２】
（熱媒体循環路予熱運転）
本発明に係る熱供給設備では、暖房用放熱器Ｄからの熱消費要求があると、上述の如く、熱消費運転としての暖房運転を行い、暖房用放熱器Ｄからの熱消費要求が停止されると、熱消費運転としての暖房運転を終了するが、運転制御部５７は、この暖房運転を行う際に、即座に暖房運転を行うのではなく、暖房運転を行う前に熱媒体循環路予熱運転を実行可能に構成されている。
【００４３】
この熱媒体循環路予熱運転は、バイパス路調整弁１７を閉弁状態として供給状態切換手段を第１供給状態に切り換えて蓄熱槽１に蓄熱されている熱を有する蓄熱水Ａ１を、循環路２、放熱用往き路５１及び放熱用戻り路５２に通流させて熱媒体循環路の予熱を行うものである。そして、熱媒体循環路予熱運転では、図２の太線にて示すように、供給状態切換手段を第１供給状態に切り換えた暖房運転のときと同様の動作を行う。すなわち、運転制御部５７が、バイパス路調整弁１７、第２蓄熱水流量調整弁３２及び蓄熱水調整弁４４を閉弁状態とし、且つ、第１蓄熱水流量調整弁２９を開弁状態として、蓄熱水循環ポンプ１８を作動させ、蓄熱槽１の上部から取り出した蓄熱水Ａ１をそのまま暖房用放熱器Ｄに供給し、暖房用放熱器Ｄを通流した後の蓄熱水Ａ１を蓄熱槽１に戻している。
【００４４】
運転制御部５７は、熱媒体循環路予熱運転を開始してから、蓄熱槽１に蓄熱されている熱を有する蓄熱水Ａ１を、循環路２、放熱用往き路５１及び放熱用戻り路５２の全体に亘って通流させるための予熱時間が経過すると、熱媒体循環路予熱運転を終了する。例えば、蓄熱水Ａ１を、循環路２、放熱用往き路５１及び放熱用戻り路５２を通して蓄熱槽１と暖房用放熱器Ｄとの間で設定回数（例えば１〜２回）周回させるに必要な時間を実験等により求めており、その求めた時間を予熱時間として設定している。これにより、熱媒体循環路予熱運転の運転時間として、循環路２、放熱用往き路５１及び放熱用戻り路５２を予熱できるだけの運転時間を確保できながら、熱消費要求を要求してから暖房運転を開始するまでの時間を極力短くできる。
【００４５】
本発明に係る熱供給設備では、運転制御部５７が、暖房運転を行う際に、常時、熱媒体循環路予熱運転を行うのではなく、熱媒体循環路予熱開始条件が満たされているか否かを判別し、その熱媒体循環路予熱開始条件が満たされている場合には、暖房用放熱器Ｄからの熱消費要求があると、熱媒体循環路予熱運転を行った後、暖房運転を行い、熱媒体循環路予熱開始条件が満たされていない場合には、暖房用放熱器Ｄからの熱消費要求があると、熱媒体循環路予熱運転を行わずに暖房運転を行う。
【００４６】
ここで、熱媒体循環路予熱開始条件が、熱媒体循環路の蓄熱水Ａ１の温度が蓄熱槽１に蓄熱されている熱を有する熱媒体（蓄熱槽１から取り出した蓄熱水Ａ１）の温度よりも低温となる条件に設定されている。これにより、蓄熱槽１から取り出した蓄熱水Ａ１が熱媒体循環路の蓄熱水Ａ１よりも高温であり、蓄熱槽１に蓄熱されている熱にて熱媒体循環路を予熱できるときだけ熱媒体循環路予熱運転を行うことができ、蓄熱槽１に蓄熱されている熱を有効に活用することができ、エネルギー効率の向上を図ることができる。
【００４７】
そして、運転制御部５７は、暖房用放熱器Ｄに蓄熱水Ａ１（熱媒体）を循環供給する流路の蓄熱水Ａ１（熱媒体）の温度が設定温度未満である場合又は前回の暖房運転が終了してからの経過時間が設定時間以上である場合の何れか一方であると、熱媒体循環路予熱開始条件が満たされていると判別する。また、運転制御部５７は、熱媒体循環路の熱媒体の温度が設定温度以上であり、且つ、前回の暖房運転が終了してからの経過時間が設定時間未満である場合に、熱媒体循環路予熱開始条件が満たされていないと判別する。
【００４８】
ここで、設定温度は、暖房運転において第１供給状態と第２供給状態とに切り換えるための目標温度を基準として定められた温度であり、例えば２０℃に設定されている。設定時間は、例えば３時間に設定されている。そして、設定温度及び設定時間については、一定の値としたり、例えば外気温度等の雰囲気条件に基づいて変更設定することも可能である。また、熱媒体循環路の熱媒体の温度として、例えば、暖房用放熱器Ｄの入口等に備えられた温度センサ（図示省略）にて検出した蓄熱水Ａ１の検出温度、熱媒戻り温度センサ５６の検出温度、第３蓄熱水温度センサ３０の検出温度の何れか又はそれらの平均温度を用いることができる。
【００４９】
〔第２実施形態〕
上記第１実施形態では、熱消費部として暖房用放熱器Ｄを備えており、蓄熱槽１に貯留されている蓄熱水Ａ１を熱媒体として循環供給しているが、熱消費部に対して熱媒体を循環供給するための構成は変更可能である。また、上記第１実施形態では、蓄熱水Ａ１を熱消費部に供給する途中にて補助加熱装置１９に供給して加熱するか否かにより第１供給状態と第２供給状態とに切り換えているが、この第１供給状態と第２供給状態とに切り換えるための構成についても変更可能である。
【００５０】
そこで、上記第１実施形態において、熱消費部に対して熱媒体を循環供給するための構成や第１供給状態と第２供給状態とに切り換えるための構成の別実施形態を第２実施形態として、以下、図４〜図６に基づいて説明する。
第２実施形態の熱供給設備について、簡単に説明すると、熱消費部として、高温暖房端末１０５ｃ及び床暖房装置１０５ｄを設け、この熱消費部に熱媒体Ａ８を循環供給するための構成として、図５及び図６の太線にて示すように、蓄熱槽１０３に貯留されている蓄熱水Ａ５を暖房用熱交換器１２７に循環供給し、その暖房用熱交換器１２７において蓄熱水Ａ５にて加熱された熱媒体Ａ８を熱消費部である高温暖房端末１０５ｃ及び床暖房装置１０５ｄに循環供給する構成を採用している。また、第１供給状態と第２供給状態とに切り換えるための構成として、暖房用熱交換器１２７に蓄熱水Ａ５を供給する途中にて補助加熱装置１２０に供給して加熱するか否かにより第１供給状態と第２供給状態とに切り換える構成を採用している。
【００５１】
以下、図４〜図６に示すように、この第２実施形態における熱供給設備について説明を加える。
この第２実施形態の熱供給設備では、電力と熱とを発生する熱電併給装置１０１（熱供給装置に相当する）と、その熱電併給装置１０１にて発生する電力にて作動可能な圧縮式ヒートポンプ１０２と、熱電併給装置１０１にて発生する排熱及び圧縮式ヒートポンプ装置１０２の冷媒から取得した熱を蓄熱可能な密閉型の蓄熱槽１０３とを備えている。これにより、熱電併給装置１０１の排熱だけでなく、ヒートポンプ装置１０２の冷媒による熱をも蓄熱槽１０３に蓄熱して蓄熱タンク３への蓄熱を効率よく行うことができる。図４〜図６の夫々において、熱供給設備の概略構成については同様であり、その熱供給設備の概略構成において蓄熱水や冷却水等の流体が通流する部位を太線にて示している。
【００５２】
そして、第２実施形態の熱供給設備では、熱電併給装置１０１にて発生する排熱及び圧縮式ヒートポンプ装置１０２の冷媒Ａ６にて加熱された蓄熱水Ａ５と蓄熱槽１０３に貯留されている蓄熱水Ａ５とを混合させて蓄熱水供給部１０５に供給することにより、熱電併給装置１０１にて発生する排熱、圧縮式ヒートポンプ装置１０２の冷媒から取得した熱、及び、蓄熱槽１０３に蓄熱されている熱を蓄熱水供給部１０５に供給可能に構成されている。これにより、熱電併給装置１０１の排熱及びヒートポンプ装置１０２の冷媒Ａ６による熱に加えて、蓄熱槽１０３に効率よく蓄熱された熱をも蓄熱水供給部１０５に供給することができ、省エネ性の向上を効果的に図ることができる。ここで、蓄熱水供給部１０５として、給湯栓等が接続された給湯部１０５ａや浴槽１０５ｂ等の給湯箇所、並びに、高温暖房端末１０５ｃ（浴室乾燥機等）や床暖房装置１０５ｄに供給する熱媒体を加熱する暖房用熱交換器１２７及び浴槽の湯水を加熱して追焚を行う追焚用熱交換器１２８等が備えられている。そして、本発明に係る熱供給設備における熱消費部は、高温暖房端末１０５ｃ及び床暖房装置１０５ｄにて構成されている
【００５３】
熱電併給装置１０１は、例えば、都市ガスを燃料とするエンジン１０６と、そのエンジン１０６の駆動により発電する発電機１０７と、その発電機１０７の発電出力を商用電力系統１０８に系統連系するインバータ１０９とを備えている。商用電力系統１０８は、電力供給ライン１１０を介してテレビ、冷蔵庫、洗濯機等の電力消費部１１１に電気的に接続されている。そして、電力供給ライン１１０は、圧縮式ヒートポンプ装置１０２の圧縮機１１３における駆動部も電気的に接続されており、圧縮式ヒートポンプ装置１０２も含めた電力消費部１１１に電気的に接続されている。インバータ１０９は、発電機１０７から出力された電力を商用電力系統１０８の周波数及び電圧と合致する交流電力に変換することにより、発電機１０２の発電出力を商用電力系統１０８に系統連系している。インバータ１０９は、コージェネ用電力供給ライン１１２を介して電力供給ライン１１０に電気的に接続されており、熱電併給装置１０１にて発生する電力が電力消費部１１１に供給自在に構成されている。
【００５４】
圧縮式ヒートポンプ装置１０２は、冷媒Ａ６を圧縮する圧縮機１１３、冷媒Ａ６から放熱される凝縮器１１４、冷媒Ａ６を膨張させる電子式の膨張弁１１５、冷媒Ａ６を外気から吸熱させる蒸発器１１６の順に冷媒Ａ６を循環する冷媒回路１１７を備えている。
【００５５】
以下、蓄熱水Ａ５を通流させる流路について説明する。
まず、蓄熱槽１０３の蓄熱水Ａ５を循環させるために、蓄熱槽１０３の下部から取り出した蓄熱水を、ヒートポンプ式加熱部１１８、排熱式加熱部１１９の順に通過させたのち蓄熱槽１０３の上部に戻す循環路Ｊが備えられている。ヒートポンプ式加熱部１１８は、圧縮式ヒートポンプ装置１０２の冷媒Ａ６により蓄熱水Ａ５を加熱するものであり、圧縮式ヒートポンプ装置１０２における凝縮器１１４に蓄熱水Ａ５を通流させることで、ヒートポンプ式加熱部１１８が凝縮器１１４にて構成されている。排熱式加熱部１１９は、熱電併給装置１０１の排熱により蓄熱水Ａ５を加熱するものである。エンジン１０６の冷却水Ａ７を循環させる冷却水循環路１２１により、エンジン１０６の排熱を回収した冷却水Ａ７を排熱式加熱部１１９に通流させることで、エンジン１０６の冷却水Ａ７にて蓄熱水Ａ５を加熱している。ここで、冷却水循環路１２１には、エンジン１０６から冷却水Ａ７の通流方向の順に、冷却水Ａ７の温度を検出する第１冷却水温度センサ１２２、排熱式加熱部１１９、冷却水Ａ７を貯留する冷却水膨張タンク１２３、冷却水Ａ７の温度を検出する第２冷却水温度センサ１２４、冷却水循環ポンプ１２５が備えられている。
【００５６】
循環路Ｊは、蓄熱槽１０３の下部に接続されてヒートポンプ式加熱部１１８及び排熱式加熱部１１９を備えた第１循環構成流路Ｊ１、第１循環構成流路Ｊ１に接続されて循環ポンプ１２６を備えた第２循環構成流路Ｊ２、第２循環構成流路Ｊ２に対して並列状態で分岐接続された第３循環構成流路Ｊ３及び第４循環構成流路Ｊ４、第３循環構成流路Ｊ３及び第４循環構成流路Ｊ４が合流接続された第５循環構成流路Ｊ５、第５循環構成流路Ｊ５に接続されて暖房用熱交換器１２７を備えた第６循環構成流路Ｊ６、第６循環構成流路Ｊ６に接続され且つ蓄熱槽１０３の上部に接続された第７循環構成流路Ｊ７を備えて構成されている。
【００５７】
第１循環構成流路Ｊ１には、蓄熱水Ａ５の通流方向の順に、蓄熱水Ａ５の温度を検出する第１蓄熱水温度センサＴ１、蓄熱水Ａ５の流量を検出する第１蓄熱水流量センサＦ１、蓄熱水Ａ５の通流量を調整自在な第１制御弁Ｖ１、ヒートポンプ式加熱部１１８、蓄熱水Ａ５の通流量を調整自在な第２制御弁Ｖ２、蓄熱水Ａ５の温度を検出する第２蓄熱水温度センサＴ２、排熱式加熱部１１９、蓄熱水Ａ５の温度を検出する第３蓄熱水温度センサＴ３が備えられている。また、第１循環構成流路Ｊ１には、第１蓄熱水流量センサＦ１と第１制御弁Ｖ１との間の部位から分岐して、第２制御弁Ｖ２と第２蓄熱水温度センサＴ２との間の部位に合流して、ヒートポンプ式加熱部１１８をバイパスする第１バイパス路Ｂ１が備えられている。そして、第１バイパス路Ｂ１には、蓄熱水Ａ５の通流量を調整自在な第３制御弁Ｖ３が備えられている。
【００５８】
第１循環構成流路Ｊ１と第２循環構成流路Ｊ２との接続部位には、第７循環構成流路Ｊ７から分岐された第１分岐合流路Ｐ１が合流接続されている。そして、第１循環構成流路Ｊ１と第２循環構成流路Ｊ２と第１分岐合流路Ｐ１との接続箇所には、第１循環構成流路Ｊ１からの蓄熱水Ａ５に対する第１分岐合流路Ｐ１からの蓄熱水Ａ５の混合量を調整自在な第１三方弁Ｓ１が配置されている。第２循環構成流路Ｊ２には、蓄熱水Ａ５の通流方向の順に、循環ポンプ１２６、蓄熱水Ａ５の温度を検出する第４蓄熱水温度センサＴ４が備えられている。
【００５９】
第３循環構成流路Ｊ３と第４循環構成流路Ｊ４とは、上述の如く、並列状態で設けられており、第４循環構成流路Ｊ４には、ガス燃焼式のバーナを備えた補助加熱装置１２０が備えられている。また、第３循環構成流路Ｊ３と第４循環構成流路Ｊ４との合流箇所であり、第３循環構成流路Ｊ３と第４循環構成流路Ｊ４と第５循環構成流路Ｊ５との接続箇所には、第３循環構成流路Ｊ３に蓄熱水Ａ５を通流させる状態と第４循環構成流路Ｊ４に蓄熱水Ａ５を通流させる状態とに切換自在な第２三方弁Ｓ２が配置されている。
【００６０】
第５循環構成流路Ｊ５には、蓄熱水Ａ５の通流方向の順に、蓄熱水Ａ５の流量を検出する第２蓄熱水流量センサＦ２、蓄熱水Ａ５の温度を検出する第５蓄熱水温度センサＴ５が備えられている。第７循環構成流路Ｊ７には、蓄熱水Ａ５の通流方向の順に、蓄熱水Ａ５の温度を検出する第６蓄熱水温度センサＴ６、蓄熱水Ａ５の流量を調整自在な第４制御弁Ｖ４、蓄熱水Ａ５の温度を検出する第７蓄熱水温度センサＴ７が備えられている。そして、第７循環構成流路Ｊ７において第４制御弁Ｖ４と第７蓄熱水温度センサＴ７の間の部位に第１分岐合流路Ｐ１が分岐接続されている。
【００６１】
循環路Ｊを通流する蓄熱水Ａ５を蓄熱水供給部１０５に供給するために、循環路Ｊにおいて排熱式加熱部１１９よりも蓄熱水Ａ５の通流方向の下流側部位に分岐接続された蓄熱水供給路が備えられている。そして、蓄熱水供給路として、蓄熱水Ａ５を給湯部５ａや浴槽５ｂ等の給湯箇所に供給する給湯用供給路Ｋ１と、蓄熱水Ａ５を暖房用熱交換器１２７や追焚用熱交換器１２８を通過させたのち循環路Ｊにおいてヒートポンプ式加熱部１１８よりも蓄熱水Ａ５の通流方向の上流側部位に戻す循環用供給路Ｋ２とが備えられている。
【００６２】
給湯用供給路Ｋ１は、第７循環構成流路Ｊ７において第６蓄熱水温度センサＴ６よりも蓄熱水Ａ５の通流方向の上流側に分岐接続されて給湯箇所に蓄熱水Ａ５を給湯するように構成されている。給湯用供給路Ｋ１には、蓄熱水Ａ５の通流方向の順に、蓄熱水Ａ５の温度を検出する第８蓄熱水温度センサＴ８、蓄熱水Ａ５の流量を検出する第３蓄熱水流量センサＦ３、蓄熱水Ａ５の流量を調整自在な第５制御弁Ｖ５、蓄熱水Ａ５の温度を検出する第９蓄熱水温度センサＴ９が備えられている。そして、給水路１３０から分岐されて第１逆止弁Ｇ１が備えられた第２分岐合流路Ｐ２が、給湯用供給路Ｋ１において第８蓄熱水温度センサＴ８と第３蓄熱水流量センサＦ３の間の部位に合流接続されており、その合流箇所には、給湯用供給路Ｋ１に対する第２分岐合流路Ｐ２からの水の混合量を調整自在な第３三方弁Ｓ３が配置されている。また、給湯用供給路Ｋ１において第９蓄熱水温度センサＴ９の設置部位から第３分岐合流路Ｐ３が分岐されており、第３分岐合流路Ｐ３が、浴槽１０５ｂに接続された風呂戻り路１３１に合流接続されている。これにより、第３分岐合流路Ｐ３が給湯用供給路Ｋ１として、蓄熱水Ａ５を浴槽５に供給するように構成されており、第３分岐合流路Ｐ３には、蓄熱水Ａ５の通流方向の順に、蓄熱水Ａ５の流量を検出する第４蓄熱水流量センサＦ４、蓄熱水Ａ５の通流を断続自在な第６制御弁Ｖ６が備えられている。
【００６３】
循環用供給路Ｋ２は、第５循環構成流路Ｊ５と第６循環構成流路Ｊ６との接続箇所から分岐されて、第１循環構成流路Ｊ１において第１蓄熱水温度センサＴ１と第１蓄熱水流量センサＦ１との間の部位に合流接続されている。循環用供給路Ｋ２には、蓄熱水Ａ５の通流方向の順に、追焚用熱交換器２８、蓄熱水Ａ５の通流を断続自在な第７制御弁Ｖ７、第２逆止弁Ｇ２、蓄熱水Ａ５の温度を検出する第１０蓄熱水温度センサＴ１０、蓄熱水Ａ５の温度を検出する第１１蓄熱水温度センサＴ１１が備えられている。また、第６循環構成流路Ｊ６と第７循環構成流路Ｊ７との接続箇所から分岐されて、循環用供給路Ｋ２において第７制御弁Ｖ７と第２逆止弁Ｇ２との間の部位に合流接続されている第４分岐合流路Ｐ４が備えられており、第４分岐合流路Ｐ４には、蓄熱水Ａ５の通流を断続自在な第８制御弁Ｖ８が備えられている。そして、第６循環構成流路Ｊ６には暖房用熱交換器１２７が備えられているので、第６循環構成流路Ｊ６及び第４分岐合流路Ｐ４が循環用供給路Ｋ２として構成されている。
【００６４】
循環路Ｊにおいて排熱式加熱部１１９と蓄熱水供給路Ｋ１、Ｋ２の分岐箇所との間の部位に合流接続されて、循環路Ｊとは別に蓄熱槽１０３から取り出した蓄熱水Ａ５を混合させるための混合流路Ｑが備えられている。混合流路Ｑは、第７循環構成流路Ｊ７の一部及び第１分岐合流路Ｐ１から構成されている。
【００６５】
循環路Ｊにおいてヒートポンプ式加熱部１１８よりも蓄熱水Ａ５の通流方向の上流側部位に接続されて、蓄熱槽１０３に蓄熱水Ａ５としての水を補給する蓄熱水補給路Ｗが備えられている。蓄熱水補給路Ｗは、循環用供給路Ｋ２において第１０蓄熱水温度センサＴ１０と第１１蓄熱水温度センサＴ１１との間の部位に合流接続された給水路１３０、及び、循環用供給路Ｋ２において給水路１３０の合流箇所よりも水の通流方向の下流側部位から構成されている。そして、給水路１３０には、水の通流方向の順に、給水温度を検出する給水温度センサ１３２、第３逆止弁Ｇ３が備えられている。
【００６６】
追焚用熱交換器１２８には、浴槽１０５ｂからの湯水を追焚用熱交換器１２８に供給する風呂戻り路１３１が入口側に接続され、浴槽１０５ｂに湯水を供給する風呂往き路１３３が出口側に接続されている。風呂戻り路１３１には、湯水の通流方向の順に、風呂循環ポンプ１３４、通流する湯水の温度を検出する風呂温度センサ１５０が備えられており、風呂循環ポンプ１３４よりも浴槽１０５ｂ側の部位に第３分岐合流路Ｐ３が合流接続されている。
【００６７】
暖房用熱交換器１２７には、高温暖房端末１０５ｃからの熱媒体Ａ８及び床暖房装置１０５ｄからの熱媒体Ａ８を暖房用熱交換器１２７に供給する熱媒体戻り路１３５が入口側に接続され、高温暖房端末１０５ｃ及び床暖房装置１０５ｄに熱媒体Ａ８を供給する熱媒体往き路１３６が出口側に接続されている。熱媒体戻り路１３５は、高温暖房端末１０５ｃからの第１戻り流路部位１３５ａと床暖房装置１０５ｄからの第２戻り流路部位１３５ｂとが合流されて、熱媒体Ａ８の通流方向の順に、熱媒体Ａ８の通流量を調整自在な熱媒体通流量制御弁１３７、熱媒体Ａ８の温度を検出する熱媒体温度センサ１３８、熱媒体循環ポンプ１３９が備えられている。そして、熱媒体戻り路１３５には、熱媒体通流量制御弁１３７をバイパスする第１熱媒体バイパス路１４０が備えられ、その第１熱媒体バイパス路１４０には、熱媒体Ａ８の通流方向の順に、手動バルブ１４１、熱媒体Ａ８を貯留する大気開放型の熱媒体膨張タンク１４２が備えられている。
【００６８】
熱媒体往き路１３６には、熱媒体Ａ８の温度を検出する第２熱媒体温度センサ１４３が備えられ、高温暖房端末１０５ｃへの第１往き流路部位１３６ａと床暖房装置１０５ｄへの第２往き流路部位３６ｂとに分岐されている。第１往き流路部位１３６ａには、第１熱動弁１４４が備えられ、第２往き流路部位１３６ｂには、第４逆止弁Ｇ４、熱媒体の温度を検出する第３熱媒体温度センサ１４５、第２熱動弁１４６が備えている。熱媒体戻り路１３５において熱媒体循環ポンプ１３９と暖房用熱交換器１２７との間の部位から分岐して床暖房装置１０５ｄへの第２往き流路部位１３６ｂにおいて第４逆止弁Ｇ４と第３熱媒体温度センサ１４５との間の部位に合流する熱媒体分岐合流路１２９が備えられており、暖房用熱交換器１２７にて加熱された熱媒体Ａ８と加熱されていない熱媒体Ａ８とを混合させた熱媒体Ａ８を床暖房装置１０５ｄに供給可能に構成されている。また、床暖房装置１０５ｄからの第２戻り流路部位１３５ｂと床暖房装置１０５ｄへの第２往き流路部位１３６ｂにおいて第３熱媒体温度センサ１４５と第２熱動弁１４６との間の部位とを接続する熱媒体接続路１４７が備えられ、その熱媒体接続路１４７には熱媒体Ａ８の通流を断続自在な熱媒体制御弁１４８が備えられている。
【００６９】
運転制御部１０４は、熱電併給装置１０１にて発生する排熱及び圧縮式ヒートポンプ装置１０２の冷媒Ａ６から取得した熱を蓄熱槽１０３に蓄熱する蓄熱運転と、熱電併給装置１０１にて発生する排熱、圧縮式ヒートポンプ装置１０２の冷媒Ａ６から取得した熱、及び、蓄熱槽１０３に蓄熱されている熱を蓄熱水供給部５に供給する熱供給運転とを実行可能に構成されている。そして、運転制御部１０４は、熱供給運転として、蓄熱水Ａ５を給湯部１０５ａや浴槽１０５ｂの給湯箇所に供給する給湯運転と、蓄熱水Ａ５を追焚用熱交換器１２８に供給する追焚運転と、蓄熱水Ａ５を暖房用熱交換器２７に供給する暖房運転とを実行可能に構成されている。
【００７０】
本発明に係る熱供給設備では、上記第１実施形態と同様に、運転制御部１０４が、蓄熱運転を行うことで熱電併給装置１０１にて発生する排熱及び圧縮式ヒートポンプ装置１０２の冷媒Ａ６から取得した熱を蓄熱槽１０３に蓄熱し、熱消費運転としての暖房運転を行うことで蓄熱槽１０３に蓄熱されている熱を用いて加熱した熱媒体Ａ８を高温暖房端末１０５ｃ及び床暖房装置１０５ｄに循環供給して高温暖房端末１０５ｃ及び床暖房装置１０５ｄでの熱消費を行う。
そこで、上記第１実施形態と同様に、蓄熱運転及び熱消費運転としての暖房運転について説明する。それ以外の給湯運転や追焚運転については、蓄熱水Ａ５の通流形態等が異なるだけであるので、その詳細な説明は省略する。
【００７１】
（蓄熱運転）
運転制御部１０４は、図４の太線にて示すように、熱電併給装置１０１、圧縮式ヒートポンプ装置１０２、循環ポンプ１２６及び冷却水循環ポンプ１２５の夫々を作動させるとともに、第１制御弁Ｖ１及び第２制御弁Ｖ２を開弁させ、第２三方弁Ｓ２にて第３循環構成流路Ｊ３に蓄熱水Ａ５を通流させる状態に切り換えて、第１三方弁Ｓ１により混合流路Ｑからの蓄熱水Ａ５の混合量をゼロとする。そして、運転制御部１０４が、第４制御弁Ｖ４を開弁させるとともに、第７制御弁Ｖ７、第８制御弁Ｖ８及び第３三方弁Ｓ３を閉弁させることで、排熱式加熱部１１９を通過した蓄熱水Ａ５を循環路Ｊにより蓄熱槽１０３に戻している。また、運転制御部１０４は、排熱式加熱部１１９を通過した蓄熱水Ａ５の温度を示す第３蓄熱温度センサＴ３の検出温度が蓄熱用目標温度（例えば７５℃）になるように、循環ポンプ１２６の回転速度を制御している。ここで、排熱式加熱手段が、循環路Ｊ、排熱式加熱部１１９、循環ポンプ１２６を備えて構成されている。
【００７２】
これにより、図４中太線矢印にて示すように、蓄熱槽１０３の下部から取り出された蓄熱水Ａ５は、第１循環構成流路Ｊ１を通してヒートポンプ式加熱部１１８、排熱式加熱部１１９の順に通過し、第１三方弁Ｓ１により第２循環構成流路Ｊ２に通流される。そして、第２循環構成流路Ｊ２に通流した蓄熱水Ａ５は、第３循環構成流路Ｊ３、第２三方弁Ｓ２、第５循環構成流路Ｊ５、第６循環構成流路Ｊ６を通して暖房用熱交換器２７を通過し、第７循環構成流路Ｊ７を通して蓄熱槽１０３の上部に戻される。このようにして、蓄熱槽１０３の下部から取り出した蓄熱水Ａ５を、ヒートポンプ式加熱部１１８、排熱式加熱部１１９の順に通過させたのち蓄熱槽１０３の上部に戻す形態で循環路Ｊを通して通流させて、ヒートポンプ式加熱部１１８及び排熱式加熱部１１９にて加熱された蓄熱用目標温度の蓄熱水Ａ５を蓄熱槽１０３に貯湯している。
【００７３】
（暖房運転（熱消費運転））
この第２実施形態では、熱消費部である高温暖房端末１０５ｃ及び床暖房装置１０５ｄに熱媒体Ａ８を循環供給する熱媒体循環路が、循環路Ｊ、熱媒体戻り路１３５及び熱媒体往き路１３６にて構成されており、蓄熱槽１０３に貯留されている蓄熱水Ａ５を暖房用熱交換器１２７に循環供給するとともに、暖房用熱交換器１２７にて蓄熱水Ａ５から取得した熱を有する熱媒体Ａ８を高温暖房端末１０５ｃ及び床暖房装置１０５ｄに循環供給するように構成されている。
【００７４】
そして、供給状態切換手段が、蓄熱水Ａ５の通流形態を切り換える第２三方弁Ｓ２にて構成されている。つまり、第２三方弁Ｓ２を第３循環構成流路Ｊ３に蓄熱水Ａ５を通流させる状態に切り換えることで第１供給状態に切り換えると、図５の太線にて示すように、蓄熱槽１の蓄熱水Ａ５を、混合流路Ｑ、第２循環構成流路Ｊ２、第３循環構成流路Ｊ３、第５循環構成流路Ｊ５、第６循環構成流路Ｊ６にて暖房用熱交換器１２７に循環供給する。これにより、暖房用熱交換器１２７において蓄熱槽１に蓄熱されている熱を有する蓄熱水Ａ５にて熱媒体Ａ８を加熱し、その加熱された熱媒体Ａ８を熱媒体戻り路１３５及び熱媒体往き路１３６にて高温暖房端末１０５ｃ及び床暖房装置１０５ｄに循環供給する。図５は、暖房用熱交換器１２７において蓄熱水Ａ５にて加熱された熱媒体Ａ８を床暖房装置１０５ｄに循環供給している場合を示している。
【００７５】
また、第２三方弁Ｓ２を第４循環構成流路Ｊ４に蓄熱水Ａ５を通流させる状態に切り換えることで第２供給状態に切り換えると、図６の太線にて示すように、蓄熱槽１から取り出した蓄熱水Ａ５を、混合流路Ｑ、第２循環構成流路Ｊ２及び第４循環構成流路Ｊ４にて補助加熱装置１２０に供給し、補助加熱装置１２０にて加熱された蓄熱水Ａ５を第５循環構成流路Ｊ５及び第６循環構成流路Ｊ６にて暖房用熱交換器１２７に循環供給する。これにより、暖房用熱交換器１２７において補助加熱装置１２０から取得した熱を有する蓄熱水Ａ５にて熱媒体Ａ８を加熱し、その加熱された熱媒体Ａ８を熱媒体戻り路１３５及び熱媒体往き路１３６にて高温暖房端末１０５ｃ及び床暖房装置１０５ｄに循環供給する。図６は、暖房用熱交換器１２７において蓄熱水Ａ５にて加熱された熱媒体Ａ８を床暖房装置１０５ｄに循環供給している場合を示している。
【００７６】
このように暖房運転では、蓄熱槽１に貯留されている蓄熱水Ａ５を暖房用熱交換器１２７に循環供給するわけであるが、暖房用熱交換器１２７に供給する蓄熱水Ａ５の温度が切換用設定温度（例えば６５℃）以上であるか否かにより、供給状態切換手段を第１供給状態（図５の太線参照）と第２供給状態（図６の太線参照）とに切り換えて、高温暖房端末１０５ｃ及び床暖房装置１０５ｄに循環供給する熱媒体Ａ８の温度を目標温度（例えば、高温暖房端末であれば８０℃、床暖房装置であれば６０℃）になるようにしている。つまり、切換用設定温度は、目標温度を基準として設定されており、運転制御部１０４は、暖房用熱交換器１２７に供給する蓄熱水Ａ５の温度（第５蓄熱水温度センサＴ５の検出温度）が切換用設定温度以上である場合には、第１供給状態に切り換え、暖房用熱交換器１２７に供給する蓄熱水Ａ５の温度（第５蓄熱水温度センサＴ５の検出温度）が切換用設定温度未満である場合には、第２供給状態に切り換えている。
【００７７】
供給状態切換手段を第１供給状態に切り換えた暖房運転では、図５の太線にて示すように、運転制御部１０４が、第１三方弁Ｓ１を第１循環構成流路Ｊ１側を全閉とし且つ第１分岐合流路Ｐ１側を全開とし、第２三方弁Ｓ２を第３循環構成流路Ｊ３に蓄熱水を通流させる状態に切り換え、第８制御弁Ｖ８を開弁させて循環ポンプ１２６を作動させ、蓄熱槽１の上部から取り出した蓄熱水Ａ５をそのまま暖房用熱交換器１２７に供給し、暖房用熱交換器１２７を通流した後の蓄熱水Ａ５を蓄熱槽１０３に戻して、暖房用熱交換器１２７において蓄熱水Ａ５にて熱媒体Ａ８を加熱できるようにしている。そして、運転制御部１０４は、熱媒体循環ポンプ１３９を作動させて熱媒体戻り路１３５及び熱媒体往き路１３６にて熱媒体Ａ８を循環させており、暖房用熱交換器１２７において蓄熱水Ａ５にて加熱された熱媒体Ａ８を高温暖房端末１０５ｃや床暖房装置１０５ｄの熱消費部に循環供給している。
【００７８】
ここで、図５では、熱媒体Ａ８を床暖房装置１０５ｄに循環供給している場合を示しているが、熱媒体Ａ８を高温暖房端末１０５ｃに循環供給する場合には、熱媒体Ａ８の供給先が異なるだけであるので、図示及び説明は省略する。
また、図５に示すものでは、熱電併給装置１０１及び圧縮式ヒートポンプ装置１０２が作動停止している状態を示しているが、熱電併給装置１０１及び圧縮式ヒートポンプ装置１０２が作動している場合もある。熱電併給装置１０１及び圧縮式ヒートポンプ装置１０２が作動している場合には、第１三方弁Ｓ１を第１循環構成流路Ｊ１側を開状態とし、暖房用熱交換器１２７を通流した後の蓄熱水Ａ５の一部を、ヒートポンプ式加熱部１１８及び排熱式加熱部１１９にて加熱し、その加熱された蓄熱水Ａ５と蓄熱槽１０３から取り出した蓄熱水Ａ５とを混合させてその混合後の蓄熱水Ａ５を暖房用熱交換器１２７に循環供給する。そして、この場合には、運転制御部１０４が、第１三方弁Ｓ１の第１循環構成流路Ｊ１側の開度を調整して暖房用熱交換器１２７に供給する蓄熱水Ａ５の温度を所望温度（切換用設定温度以上の温度）に調整している。
【００７９】
供給状態切換手段を第２供給状態に切り換えた暖房運転では、図６の太線にて示すように、運転制御部１０４が、第１三方弁Ｓ１を第１循環構成流路Ｊ１側を全閉とし且つ第１分岐合流路Ｐ１側を全開とし、第２三方弁Ｓ２を第４循環構成流路Ｊ４に蓄熱水を通流させる状態に切り換え、第８制御弁Ｖ８を開弁させて循環ポンプ１２６を作動させ、蓄熱槽１の上部から取り出した蓄熱水Ａ５を補助加熱装置１２０に供給し、その補助加熱装置１２０にて加熱された蓄熱水Ａ５を暖房用熱交換器１２７に供給し、暖房用熱交換器１２７を通流した後の蓄熱水Ａ５を蓄熱槽１０３に戻して、暖房用熱交換器１２７において蓄熱水Ａ５にて熱媒体Ａ８を加熱できるようにしている。そして、運転制御部１０４は、熱媒体循環ポンプ１３９を作動させて熱媒体戻り路１３５及び熱媒体往き路１３６にて熱媒体Ａ８を循環させており、暖房用熱交換器１２７において蓄熱水Ａ５にて加熱された熱媒体Ａ８を高温暖房端末１０５ｃや床暖房装置１０５ｄの熱消費部に循環供給している。
【００８０】
ここで、図６では、熱媒体Ａ８を床暖房装置１０５ｄに循環供給している場合を示しているが、熱媒体Ａ８を高温暖房端末１０５ｃに循環供給する場合には、熱媒体Ａ８の供給先が異なるだけであるので、図示及び説明は省略する。
また、図６に示すものでは、熱電併給装置１０１及び圧縮式ヒートポンプ装置１０２が作動停止している状態を示しているが、図５に示した場合と同様に、熱電併給装置１０１及び圧縮式ヒートポンプ装置１０２が作動している場合もある。
【００８１】
（熱媒体循環路予熱運転）
本発明に係る熱供給設備では、熱消費運転としての暖房運転を行うわけであるが、運転制御部１０４は、この暖房運転を行うに当たり、暖房運転を行う前に、熱媒体循環路予熱運転を実行可能に構成されている。
【００８２】
この熱媒体循環路予熱運転は、第２三方弁Ｓ２を第３循環構成流路Ｊ３に蓄熱水Ａ５を通流させる状態に切り換え、蓄熱槽１０３の蓄熱水をそのまま暖房用熱交換器１２７に供給し、暖房用熱交換器１２７において蓄熱水Ａ５にて加熱された熱媒体Ａ８を、熱媒体往き路１３６及び熱媒体戻り路１３５にて高温暖房端末１０５ｃ及び床暖房装置１０５ｄに循環供給することで、熱媒体循環路を予熱するための運転である。そして、運転制御部１０４が、図５の太線にて示すように、暖房用熱交換器１２７に循環供給する蓄熱水Ａ５の通流形態を第１供給状態に切り換えた暖房運転のときと同様の動作を行う。すなわち、運転制御部１０４が、第１三方弁Ｓ１を第１循環構成流路Ｊ１側を全閉とし且つ第１分岐合流路Ｐ１側を全開とし、第２三方弁Ｓ２を第３循環構成流路Ｊ３に蓄熱水Ａ５を通流させる状態に切り換え、第８制御弁Ｖ８を開弁させて循環ポンプ１２６を作動させ、蓄熱槽１の上部から取り出した蓄熱水Ａ５をそのまま暖房用熱交換器１２７に供給し、暖房用熱交換器１２７を通流した後の蓄熱水Ａ５を蓄熱槽１０３に戻して、暖房用熱交換器１２７において蓄熱水Ａ５にて熱媒体Ａ８を加熱できるようにしている。そして、運転制御部１０４は、熱媒体循環ポンプ１３９を作動させて熱媒体戻り路１３５及び熱媒体往き路１３６にて熱媒体Ａ８を循環させており、暖房用熱交換器１２７において蓄熱水Ａ５にて加熱された熱媒体Ａ８を高温暖房端末１０５ｃや床暖房装置１０５ｄの熱消費部に循環供給している。また、上記第１実施形態と同様に、運転制御部１０４は、熱媒体循環路予熱運転を開始してから、蓄熱槽１０３に蓄熱されている熱を有する熱媒体Ａ８を熱媒体循環路の全体に亘って通流させるための予熱時間が経過すると、熱媒体循環路予熱運転を終了する。
【００８３】
そして、この第２実施形態においても、上記第１実施形態と同様に、運転制御部１０４は、常時、熱媒体循環路予熱運転を行うのではなく、熱媒体循環路予熱開始条件が満たされているか否かを判別し、その熱媒体循環路予熱開始条件が満たされている場合には、高温暖房端末１０５ｃ及び床暖房装置１０５ｄの熱消費部からの熱消費要求があると、熱媒体循環路予熱運転を行った後、暖房運転を行い、熱媒体循環路予熱開始条件が満たされていない場合には、高温暖房端末１０５ｃ及び床暖房装置１０５ｄの熱消費部からの熱消費要求があると、熱媒体循環路予熱運転を行わずに暖房運転を行う。ここで、熱媒体循環路予熱開始条件、及び、熱媒体循環路予熱開始条件が満たされているか否かの判別については、上記第１実施形態と同様であるので、その説明は省略する。
【００８４】
〔別実施形態〕
（１）上記第１及び第２実施形態において、例えば、熱消費運転としての暖房運転をどの時間帯に運転させるかを設定可能な予約機能を備えて、運転制御手段が、その設定された時間帯になると自動的に暖房運転を開始するように構成することができる。そして、このような予約機能を備えると、設定した時間帯まで暖房運転を行わないことが考えられるので、予約機能により暖房運転を運転させる時間帯を設定した場合には、熱媒体循環路が低温になっていることが考えられる。そこで、運転制御手段が、予約機能により暖房運転を運転させる時間帯を設定した場合には、その設定された時間帯になると熱消費要求があったとして、熱媒体循環路予熱運転を行った後、暖房運転を行うことができる。
このように、熱媒体循環路予熱運転を行うか否かを判別するための熱媒体循環路予熱開始条件をどのような条件とするか適宜変更が可能である。
【００８５】
（２）上記第１及び第２実施形態では、熱媒体循環路予熱開始条件が満たされているか否かの判別について、熱消費部に熱媒体を循環供給する流路の熱媒体の温度が設定温度未満である場合又は前回の暖房運転が終了してからの経過時間が設定時間以上である場合の何れか一方であると、熱媒体循環路予熱開始条件が満たされていると判別しているが、熱消費部に熱媒体を循環供給する流路の熱媒体の温度が設定温度未満であると、熱媒体循環路予熱開始条件が満たされていると判別してもよく、逆に、前回の暖房運転が終了してからの経過時間が設定時間以上であると、熱媒体循環路予熱開始条件が満たされていると判別してもよい。
このように、熱媒体循環路予熱開始条件が満たされているか否かの判別についてはどのように判別するかは適宜変更が可能である。
【００８６】
（３）上記第１及び第２実施形態では、熱消費部を暖房用放熱器Ｄ、高温暖房端末１０５ｃや床暖房装置１０５ｄ等の暖房端末として、熱消費運転として暖房運転を行い、この暖房運転を行う前に熱媒体循環路予熱運転を行っているが、例えば、熱消費部を浴槽Ｙ、１０５ｂとして、熱消費運転として追焚運転を行うことも可能であり、この場合には、追焚運転を行う前に熱媒体循環路予熱運転を行うこともできる。
つまり、熱消費部として、暖房用放熱器Ｄ、高温暖房端末１０５ｃや床暖房装置１０５ｄ等の暖房端末だけでなく、浴槽も適応することができ、これらの何れかの熱消費部に熱媒体を循環供給する熱消費運転を行うものであればよく、それらの何れかの熱消費部に熱媒体を循環供給する熱消費運転を行う前に熱媒体循環路予熱運転を行うことができる。
【産業上の利用可能性】
【００８７】
本発明は、蓄熱水を貯留する蓄熱槽と、熱供給装置の排熱により蓄熱槽に貯留されている蓄熱水を加熱する排熱式加熱手段と、熱媒体を熱消費部に循環供給する熱媒体循環路とを備え、前記蓄熱槽に蓄熱されている熱を有する熱媒体を前記熱媒体循環路にて熱消費部に循環供給可能であり、蓄熱槽に蓄熱されている熱を有効に活用して、エネルギー効率の向上を図ることができながら、熱消費部での熱消費を適切に行うことができる各種の熱供給設備に適応可能である。
【符号の説明】
【００８８】
１        蓄熱槽
２        熱媒体循環路（循環路）
３        排熱式加熱手段（蓄熱水循環手段）
４        熱供給装置
５        排熱式加熱手段（排熱熱交換器）
１６      熱媒体循環路（排熱熱交換器バイパス路）
１７      供給状態切換手段（バイパス路調整弁）
１８      排熱式加熱手段（蓄熱水循環ポンプ）
１９      補助加熱装置
５１      熱媒体循環路（放熱用往き路）
５２      熱媒体循環路（放熱用戻り路）
５７      運転制御手段（運転制御部）
１０１    熱供給装置（熱電併給装置）
１０３    蓄熱槽
１０４    運転制御手段（運転制御部）
１０５ｃ  高温暖房端末（熱消費部）
１０５ｄ  床暖房装置（熱消費部）
１１９    排熱式加熱手段（排熱式加熱部）
１２０    補助加熱装置
１２６    排熱式加熱手段（循環ポンプ）
１３５    熱媒体戻り路（熱媒体循環路）
１３６    熱媒体往き路（熱媒体循環路）
Ｄ        熱消費部（暖房用放熱器）
Ｊ        排熱式加熱手段、熱媒体循環路（循環路）
【図１】
2011174683.tif 000003
【図２】
2011174683.tif 000004
【図３】
2011174683.tif 000005
【図４】
2011174683.tif 000006
【図５】
2011174683.tif 000007
【図６】
2011174683.tif 000008